(57)【要約】【課題】  従来、パイプカッターで切断していた比較的薄肉のパイプをメタルソー切断機で切断できるようにする。【解決手段】  略板状のベース部４と、ベース部４上に設けられた一対の平行な支持ローラー５・８と、切断するパイプＰの外径に合わせて両支持ローラー５・８同士の間隔を調整するローラー間隔調整手段とを備え、両支持ローラー５・８間に被切断材であるパイプＰが回転自在に支持されるようになされたパイプ切断用治具３をメタルソー切断機のバイス４に固定し、またメタルソーをカッターホイール９に交換する。【選択図】  図１
2011073088.tif 000002
【特許請求の範囲】
【請求項１】
略板状のベース部と、ベース部上に設けられた一対の平行な支持ローラーと、切断するパイプの外径に合わせて両支持ローラー同士の間隔を調整するローラー間隔調整手段とを備えており、両支持ローラー間に被切断材であるパイプが回転自在に支持されるようになされている、パイプ切断用治具。
【請求項２】
ローラー間隔調整手段が、一方の支持ローラーを固定とし、他方の支持ローラーを前記一方の支持ローラーに対して接近自在とするものである、請求項１記載のパイプカッター治具。
【請求項３】
一方の支持ローラーがベース部上に固定された固定支持ローラーであり、他方の支持ローラーが固定支持ローラーに対して接近自在な移動支持ローラーであり、ローラー間隔調整手段が、移動支持ローラーを回転自在に懸架する懸架部材と、懸架部材を止めるボルトと、ベース部における移動支持ローラーの移動方向に伸び、前記ボルトが挿入固定される長孔とを有している、請求項２記載のパイプ切断用治具。
【請求項４】
ベース部の上面には移動支持ローラーの移動方向に伸びるガイドレールが敷設され、移動支持ローラーの懸架部材が略板状であって、その下面に前記ガイドレールと嵌合する凹溝が形成され、移動支持ローラーが前記ガイドレールに沿って固定支持ローラーに対して接近自在となされている、請求項３記載のパイプ切断用治具。
【請求項５】
固定支持ローラーと移動支持ローラーの高さレベルが異なる、請求項１〜請求項４のうちのいずれか一項記載のパイプ切断用治具。
【請求項６】
スタンドの頂部に基台が設けられ、基台上に被切断材であるパイプを支持する一対の補助ローラーが設けられた補助治具を更に有する、請求項１〜請求項５のうちのいずれか一項記載のパイプ切断用治具。
【請求項７】
請求項１〜請求項６のうちのいずれか一項記載のパイプ切断用治具を用いたパイプカッターであって、メタルソー切断機のバイスに前記パイプ切断用治具が固定され、メタルソーに換えてカッターホイールが装着された、パイプカッター。
【発明の詳細な説明】
【技術分野】
【０００１】
本発明は、主としてメタルソー切断機でパイプを切断できるようにするためのパイプ切断用治具に関する。
【背景技術】
【０００２】
従来、主として薄肉のステンレス鋼管や銅管等のパイプを切断する場合には、基台上に平行に隣接して軸支された複数の支持ローラーと、これら支持ローラー上に載置されたパイプを切断するカッターホイールとを有するパイプカッターが用いられていた。
【０００３】
一方、アングル材やチャンネル材等の種々の棒状資材を切断する場合には、基台上にワークを挟持するバイスと、ワークを切断するメタルソーが取り付けられたメタルソー切断機が用いられていた。
【先行技術文献】
【特許文献】
【０００４】
【特許文献１】特開平７−２６６１２６号公報
【特許文献２】実公平６−１３７７５号公報
【発明の概要】
【発明が解決しようとする課題】
【０００５】
前項で述べたように、パイプを切断する場合には、専用のパイプカッターを用い、アングル材等の棒状資材を切断する場合には、メタルソー切断機を用いられていたため、切断するワークによって二種類の切断装置を用意する必要があり、そのため、それぞれの設備コストと設置スペースが必要であった。
【０００６】
本発明の目的は、従来、パイプカッターで切断していた比較的薄肉のパイプをメタルソー切断機で切断できるようにするためのパイプ切断用治具を提供することにある。
【課題を解決するための手段】
【０００７】
請求項１記載の本発明は、略板状のベース部と、ベース部上に設けられた一対の平行な支持ローラーと、切断するパイプの外径に合わせて両支持ローラー同士の間隔を調整するローラー間隔調整手段とを備えており、両支持ローラー間に被切断材であるパイプが回転自在に支持されるようになされているパイプ切断用治具である。
【０００８】
請求項２記載の本発明は、前記請求項１記載のパイプ切断用治具について、ローラー間隔調整手段が、一方の支持ローラーを固定とし、他方の支持ローラーを前記一方の支持ローラーに対して接近自在としたことを技術的特徴とするものである。
【０００９】
請求項３記載の本発明は、前記請求項２記載のパイプ切断用治具について、一方の支持ローラーがベース部上に固定された固定支持ローラーであり、他方の支持ローラーが固定支持ローラーに対して接近自在な移動支持ローラーであり、ローラー間隔調整手段が、移動支持ローラーを回転自在に懸架する懸架部材と、懸架部材を止めるボルトと、ベース部における移動支持ローラーの移動方向に伸び、前記ボルトが挿入固定される長孔とを有していることを特徴とするものである。
【００１０】
請求項４記載の本発明は、前記請求項３記載のパイプ切断用治具について、ベース部の上面には移動支持ローラーの移動方向に伸びるガイドレールが敷設され、移動支持ローラーの懸架部材が略板状であって、その下面に前記ガイドレールと嵌合する凹溝が形成され、移動支持ローラーが前記ガイドレールに沿って固定支持ローラーに対して接近自在となされているものである。
【００１１】
請求項５記載の本発明は、前記請求項１〜請求項４のうちのいずれか一項記載のパイプ切断用治具について、固定支持ローラーと移動支持ローラーの高さレベルが異なることを特徴とするものである。
【００１２】
請求項６記載の本発明は、前記請求項１〜請求項５のうちのいずれか一項記載のパイプ切断用治具について、スタンドの頂部に基台が設けられ、基台上に被切断材であるパイプを支持する一対の補助ローラーが設けられた補助治具を更に有するものである。
【００１３】
請求項７記載の本発明は、請求項１〜請求項６のうちのいずれか一項記載のパイプ切断用治具を用いたパイプカッターであって、メタルソー切断機のバイスに前記パイプ切断用治具が固定され、メタルソーに換えてカッターホイールが装着されたものである。
【発明の効果】
【００１４】
本発明のパイプ切断用治具は、これをメタルソー切断機のバイスに固定するだけで、当該治具に設けられた二本の支持ローラーによって、被切断材であるパイプを支持することができ、また両支持ローラー間の間隔は、間隔調整手段によって任意に設定でき、種々の径のパイプを両支持ローラーで支持した上、メタルソーをカッターホイールに交換することで、従来、専用のパイプカッターで切断していたパイプ類をメタルソー切断機を利用して切断することが可能となる。
【００１５】
そのため、従来のように、メタルソー切断機とは別にパイプカッターを用意する必要がなくなり、設備コストの削減と設置スペースの効率化が図られる。
【図面の簡単な説明】
【００１６】
【図１】本発明の治具を装着した状態のメタルソー切断機の全体斜視図である。
【図２】本発明に係る治具の斜視図である。
【図３】本発明の治具におけるパイプの支持状態を示す側面図である。
【図４】本発明に係る治具の正面図である。
【図５】本発明に係る治具の要部底面図である。
【図６】本発明の治具を装着したメタルソー切断機にパイプをセットした状態を示す全体斜視図である。
【図７】補助スタンドの正面図である。
【図８】本発明の治具を装着したメタルソー切断機にパイプをセットした状態を示す側面拡大斜視図である。
【発明を実施するための形態】
【００１７】
次に、本発明の実施形態を図面にしたがって説明するが、本発明はかかる実施形態に限定されるものでない。
【００１８】
図１に示すように、１はメタルソー切断機を転用した本発明に係るパイプカッターであって、バイス２に後述する本発明のパイプ切断用治具３が固定され、また上部にはメタルソーに換えて被切断材であるパイプを切断するためのカッターホイール９が取り付けられている。
【００１９】
図２〜図５に示すように、パイプ切断用治具３は、方形板状のベース部４と、ベース部４の上面における一側端に左右一対の起立壁６を介して回転自在に軸支された固定支持ローラー５と、後述する懸架部材７によって回転自在に軸支された移動支持ローラー８とを有している。
【００２０】
なお、本実施形態では、移動支持ローラー８の高さレベルが固定支持ローラー５の高さレベルよりも上位に設定されている。
【００２１】
ベース部４の両端寄り部分には移動支持ローラー８の移動方向に伸びる長孔１１が形成され、またベース部４の上面における長さ中央寄り部分には所定間隔をあけて左右一対のガイドレール１２が突設されている。更に、図５に示すように、前記長孔１１の下部は上部よりも幅広となされて、該部に互いに平行な一対の段部２２が設けられ、両段部２２に止めナット１４が嵌め込まれている。
【００２２】
移動支持ローラー８の懸架部材７は、左右方向に伸びる帯板状本体部７ａと、その両端寄り部分に立設された起立壁７ｂと、帯板状本体部７ａの両端部を貫通して下方に伸びる長ボルト１３と、帯板状本体部７ａの下面に設けられ、ベース部４上のガイドレール１２が嵌入する凹溝１５とを備えている。そして、長ボルト１３の軸部１３ａが前記ベース部４の長孔１１内に挿通されて止めナット１４と螺合するようになされている。なお、図中２１はガイドレール１２を固定する短ボルトを示す。
【００２３】
そして、固定支持ローラー５と移動支持ローラー８の間隔は、図３に示すように、被切断材であるパイプＰの外径に合わせて移動支持ローラー８を前後方向に移動させることで調整するが、この調整は、長ボルト１３を緩めて、移動支持ローラー８の懸架部材７をベース部４上のガイドレール１２に沿って前後方向に移動させ、所望の位置に懸架部材７が移動した時点で長ボルト１３を締めて懸架部材７をベース部４上に固定することで行われる。
【００２４】
また、図１、図６〜図８に示すように、本実施形態では、後述する補助治具１５も用いられる。すなわち、補助治具１５は、三本の脚体１６ａを有するスタンド１６の頂部に方形の基台１７が一体に設けられ、基台１７上には被切断材であるパイプＰの一端部を支持する一対の補助ローラー１８が設けられている。また、スタンド１６の上部は外筒体１６ａ内に基台１７を支持する芯体１６ｂが上下方向にスライド自在に挿入されており、これによって、補助ローラー１８の高さレベルが調整できるようになされている。
【００２５】
次に、本実施形態に係るパイプ切断用治具３の使用要領について説明すると、先ず図１に示すように、メタルソー切断機におけるメタルソーをパイプ切断用のカッターホイール９に交換し、またバイス２に本実施形態のパイプ切断用治具３を、その固定支持ローラー５がカッターホイール９側に位置するようにしてセットし、これをバイス２で締めてパイプ切断用治具３をメタルソー切断機に固定する。その結果、メタルソー切断機が本発明にかかるパイプカッターに転用される。
【００２６】
その後、図６および図８に示すように、パイプ切断用治具３の両支持ローラー５・８上にパイプＰの一端部を載せ、パイプＰの他端部には、補助ローラー１８を配置して、その補助ローラー１８が支持ローラー５・８の延長線上であって、両支持ローラー５・８と同じ高さレベルとなるように調整して、前記パイプＰの他端部を支持する。
【００２７】
なお、前記支持ローラー５．８の間隔は、移動支持ローラー８をパイプＰの外径に合わせて予め適切な位置に移動させておく。
【００２８】
そして、この状態でカッターホイール９を回転させて該ホイール９をパイプＰの外周面に当接させるだけで、パイプＰの切断が行える。
【産業上の利用可能性】
【００２９】
本発明によれば、従来のように、専用のパイプカッターを用いなくてもメタルソー切断機を利用して比較的薄肉のパイプ類が容易に切断できるため、幅広い利用が期待できる。
【符号の説明】
【００３０】
１  パイプカッター
２  バイス
３  パイプ切断用治具
４  ベース部
５  固定支持ローラー
７  懸架部材
８  移動支持ローラー
１１  長孔
１２  ガイドレール
１３  長ボルト
１４  止めナット
１５  補助治具
【図１】
2011073088.tif 000003
【図２】
2011073088.tif 000004
【図３】
2011073088.tif 000005
【図４】
2011073088.tif 000006
【図５】
2011073088.tif 000007
【図６】
2011073088.tif 000008
【図７】
2011073088.tif 000009
【図８】
2011073088.tif 000010